(57)【特許請求の範囲】
【請求項１】
ビデオカメラ本体とレンズ鏡筒外観がなす凹部を形成する空きスペースに電気部品を配設し、且つ、アクセサリーを取り付けるための金具をビデオカメラ本体の上方に設けたビデオカメラであって、前記電気部品を覆うように前記アクセサリー取り付け金具を保持するための金属部材を配したことを特徴とするビデオカメラ。
【発明の詳細な説明】
【０００１】
【発明の属する技術分野】
本発明は、電気部品の効率的な配置による装置本体の小型化と、外観品位の確保、及び電気部品の耐衝撃性を向上させ得るビデオカメラに関する。
【０００２】
【従来の技術】
従来のストロボを内蔵したビデオカメラの構造について図６を用いて説明する。
【０００３】
図６は、従来例におけるビデオカメラの構成を示す側断面図である。
【０００４】
図６において、２０１は撮像レンズ鏡筒、２０２はレンズの前玉、２０３はストロボを発光させるための電気を蓄えておくコンデンサー、２０４はビデオカメラ本体、２０５はＣＣＤなどの光電変換素子、２０６はコンデンサー２０３が実装された基板、２０７は撮影映像を確認するための画像表示装置、２０８はストロボ光を反射する反射板、２０９はビデオカメラ本体２０４に取り付けられたストロボである。
【０００５】
ストロボ２０９は通常、撮影者がビデオカメラ本体２０４を把持して撮影を行う際、撮影者自身の手指などがストロボ２０９を覆ってしまって、ストロボ光を遮ることのないような位置に配置される。ＶＴＲ一体型のビデオカメラの場合、本体のできるだけ前面、且つ本体の上方に配置されるのが一般的である。
【０００６】
また、ストロボ２０９に電気を供給するためのコンデンサー２０３は、ストロボ２０９の発光部にできる限り近い位置に配置される。それは、ストロボ発光部とコンデンサー２０３の距離を短くすることで電気のロスを減らし、効率を高めるためである。
【０００７】
更に、コンデンサー２０３の外形は直径１３ｍｍ、長さ２０ｍｍ近くある比較的大きな円筒形の電気部品であるため、ビデオカメラ内部に配置するとスペース効率が悪く、選択的に、外観部に近い位置に配置される。
【０００８】
以上の理由により、図６のように、ストロボ２０９はビデオカメラ本体２０４の上方、且つできるだけ前面の外観部に近い位置に配置され、また、コンデンサー２０３はその近傍に配置するのが一般的である。
【０００９】
図６で、ストロボ２０９はレンズの上方に配置されている。また、そこに電気を供給するためのコンデンサー２０３は基板２０６に実装された形で、ストロボ２０９の近傍で、且つ内部部品に影響を与えないレンズの上方に配置されている。その周りをビデオカメラ本体２０４の筺体で覆っている。
【００１０】
また、レンズ自体は円形状なので、その周りを覆う外装も円筒形であることが一般的だが、各種センサーや駆動モーター等が配置されるため、レンズの外観には必ず凹凸ができる。
【００１１】
【発明が解決しようとする課題】
然しながら、コンデンサーを上述のように配置すると、
▲１▼  コンデンサーを覆う部分の筺体が外観部に突出してしまって、デザイン的な外観品位を損ない、且つ小型化を阻害し機器が大きくなってしまう。
【００１２】
▲２▼  レンズの凹部に空きスペースができてしまう。
【００１３】
▲３▼  ビデオカメラ本体のコンデンサーを覆っている部分の近傍に外部から衝撃が加わった場合、コンデンサーにその衝撃が伝わると、コンデンサーの破損で機器本体の故障の原因になる。
などの問題点があった。
【００１４】
本発明は、上述の事情に鑑みて成されたもので、空きスペースの有効利用により機器本体の小型化を可能とし、外観デザインの美観を確保し、コンデンサー等の電気部品を衝撃等から保護する構成としたビデオカメラを提供することを目的とする。
【００１５】
【課題を解決するための手段】
本発明は、下記構成を備えることにより上記課題を解決できるものである。
【００１９】
（１）ビデオカメラ本体とレンズ鏡筒外観がなす凹部を形成する空きスペースに電気部品を配設し、且つ、アクセサリーを取り付けるための金具をビデオカメラ本体の上方に設けたビデオカメラであって、前記電気部品を覆うように前記アクセサリー取り付け金具を保持するための金属部材を配したことを特徴とするビデオカメラ。
【００２０】
即ち、レンズ駆動モーターやガイド軸受け等が配置されておらず、且つ、レンズ光軸中心の近傍の空きスペースにコンデンサーを配置することで、空きスペースの有効利用による機器本体の小型化が可能となり、且つ、外観デザインを損なうことがないため、美観を確保することができる。
【００２１】
また、アクセサリー取り付け用の金具を保持する金属部材を利用してコンデンサーを囲むように配置することで、コンデンサーを衝撃等から保護することができる。
【００２２】
【発明の実施の形態】
以下に本発明に係るビデオカメラの実施の形態を説明する。
【００２３】
図１は、本発明に係る実施例１のビデオカメラの透視的後方外観斜視図、図２は、本発明に係る実施例１のビデオカメラの光軸方向から見た縦断面図、図３は、本発明に係る実施例１のビデオカメラの撮像レンズ鏡筒部の側断面図、図４は、本発明に係る実施例２のビデオカメラの側断面図、図５は、本発明に係る実施例２のビデオカメラの光軸方向から見た縦断面図、図６は、従来例におけるビデオカメラの構成を示す側断面図である。
【００２４】
（実施例１）
本発明に係る実施例１について、図１〜図３を用いて説明する。
【００２５】
図１は、ビデオカメラ本体の外観を透かし絵として後方から見た斜視図、図２はビデオカメラ本体のレンズの光軸方向から見た縦断面図であり、１は撮像レンズ鏡筒部、２はレンズの前玉、３はストロボを発光させるための電気を蓄えておくコンデンサーで、ホルダーとなるコンデンサー保持部材１８で保持されている。
【００２６】
また、４はビデオカメラ本体、５は焦点距離や画角の調整に使用されるレンズを駆動するレンズ駆動モーター、６はレンズ駆動モーター５の夫々によって駆動されるレンズのガイドとなるレンズ駆動軸の軸受け部、７はＣＣＤなどの光電変換素子、８はビデオカメラ内部の基板や録画再生装置、９はビデオカメラ本体４に取り付けられたストロボ、１０はコンデンサー３とストロボ９をつなぐ基板である。更に、１６は、撮影映像を確認するための画像表示装置であり、１７は、撮影を開始、停止するためのスイッチである。
【００２７】
また、図３に撮像レンズ鏡筒部１の側断面図を示す。
【００２８】
図３において、１１は焦点距離または画角を調整するための調整レンズ、１２は調整レンズ１１をガイドするための調整レンズ用ガイド軸であり、モーター軸１３から駆動力を与えられた調整レンズ１１は、調整レンズ用ガイド軸１２に沿って、光軸１４上を移動自在である。１５は撮像レンズ群である。
【００２９】
光学的な必要空間と、各種駆動系の構造のために、撮像レンズ群１５が撮像レンズ鏡筒部１内の空間を占領してしまう図３ような構成のレンズでは、一般に各種駆動モーター５や、レンズ駆動軸やガイド軸の軸受け部６を、図１及び図２に示すように、撮像レンズ鏡筒部１の光軸方向の投影面積内に収めるように構成する。
【００３０】
その結果、レンズの外観上に凹凸部が形成され、その凹部にコンデンサー３を配置する。
【００３１】
以上のように、レンズ駆動モーターや駆動軸、ガイド軸の軸受け部等が配置されておらず、且つ、レンズ光軸中心の近傍の空きスペースにコンデンサーを配置することで、空きスペースの有効利用による機器本体の小型化が可能となり、且つ、外観デザインを損なうことがないため、美観を確保することができる。
【００３２】
（実施例２）
本発明に係る実施例２について、図４、図５を用いて説明する。
【００３３】
図４は、ビデオカメラ本体を側面から見たときの断面図であり、図５はビデオカメラ本体のレンズの光軸方向から見た断面図である。
【００３４】
図４、図５において、２１は撮像レンズ鏡筒部、２２はレンズの前玉、２３はストロボを発光させるための電気を蓄えておくコンデンサーで、ホルダーとなるコンデンサー保持部材３８で保持されている。２４はビデオカメラ本体、２５は焦点距離や画角の調整に使用されるレンズを駆動するレンズ駆動モーター、２６はレンズ駆動モーター２５のそれぞれによって駆動されるレンズのガイドとなるレンズ駆動軸の軸受け部、２７はＣＣＤなどの光電変換素子、２８はビデオカメラ内部の基板や録画再生装置、２９はビデオカメラ本体２４に取り付けられたストロボ、３０はコンデンサー２３とストロボ２９をつなぐ基板である。更に、３１は、外部マイクや外部ストロボなど各種アクセサリーをビデオカメラ本体２４に取り付けるためのアクセサリー取り付け金具で、３２はアクセサリー取り付け金具３１を保持固定するための金属部材である。また更に、３６は、撮影映像を確認するための画像表示装置であり、３７は、撮影を開始、停止するためのスイッチである。
【００３５】
コンデンサー２３は、レンズ駆動モーター２５やレンズ駆動軸の軸受け部２６等が配置されておらず、且つ、レンズ光軸中心の近傍の空きスペースに配置されており、また、アクセサリー取り付け金具の保持部材３２に囲まれるように配置されている。
【００３６】
以上のように構成することで、空きスペースの有効利用による機器本体の小型化が可能となり、且つ、外観デザインを損なうことがないため、美観を確保することができる。また更に、コンデンサー取り付け金具を保持する金属部材のような強固な部品で囲むことで、コンデンサーを衝撃等から保護することができる。
【００３７】
【発明の効果】
以上、説明したように本発明によれば、レンズ駆動モーターやレンズ駆動軸の軸受け部やガイド軸受け等が配置されておらず、且つ、レンズ光軸中心の近傍の空きスペースにコンデンサーを配置することで、空きスペースの有効利用による機器本体の小型化が可能となり、且つ、外観デザインを損なうことがないため、美観を確保することができる。
【００３８】
また、アクセサリー取り付け金具を保持する金属部材でコンデンサーを囲むように配置することで、コンデンサーを衝撃等から保護することができるという効果を呈する。
【図面の簡単な説明】
【図１】  本発明に係る実施例１のビデオカメラの透視的後方外観斜視図
【図２】  本発明に係る実施例１のビデオカメラの光軸方向から見た縦断面図
【図３】  本発明に係る実施例１のビデオカメラの撮像レンズ鏡筒部の側断面図
【図４】  本発明に係る実施例２のビデオカメラの側断面図
【図５】  本発明に係る実施例２のビデオカメラの光軸方向から見た縦断面図
【図６】  従来例におけるビデオカメラの構成を示す側断面図
【符号の説明】
１，２１，２０１  撮像レンズ鏡筒部
２，２２，２０２  レンズ前玉
３，２３，２０３  コンデンサー
４，２４，２０４  ビデオカメラ本体
５，２５  レンズ駆動モーター
６，２６  レンズ駆動軸の軸受け部
７，２７，２０５  ＣＣＤ
８，２８  基板や録画再生装置
９，２９，２０９  ストロボ
１０，３０，２０６  基板
１１  調整レンズ
１２  調整レンズ用ガイド軸
１３  モーター軸
１４  光軸
１５  レンズ群
１６、３６，２０７  画像表示装置
１７，３７  録画開始停止スイッチ
１８、３８  コンデンサー保持部材
３１  アクセサリー取り付け金具
３２  アクセサリー取り付け金具の保持部材（金属部材）
２０８  ストロボ光反射板
【図１】
0004557457.tif 000002
【図２】
0004557457.tif 000003
【図３】
0004557457.tif 000004
【図４】
0004557457.tif 000005
【図５】
0004557457.tif 000006
【図６】
0004557457.tif 000007